(57)【特許請求の範囲】
【請求項１】
換気扇本体と、
前記換気扇本体を制御する制御ユニットと、
前記換気扇本体及び前記制御ユニットを窓枠の内側に設置するためのブラケットとを具備し、
前記制御ユニットの正面には前記換気扇本体の動作を手動操作するための操作ボタンが装備され、
前記換気扇本体は正面側から給気し背面側から排気する構成を有し、
前記換気扇本体は四角柱形状を有し、
前記制御ユニット上に前記換気扇本体を縦積みしたとき全体として単一の柱状形状を構成するように、前記制御ユニットはその底面が前記換気扇本体と同じ寸法で同じ形状の直方体形状又は立方体形状を有し、
前記制御ユニットの正面に対して前記換気扇本体の正面が同じ向きに揃う第１のレイアウトと、前記制御ユニットの正面に対して前記換気扇本体の正面が逆向きになる第２のレイアウトとのいずれのレイアウトでも前記制御ユニット上に前記換気扇本体を縦積み可能なように前記制御ユニットに対して前記換気扇本体を着脱するための構造が前記制御ユニットと前記換気扇本体とに設けられ、
前記第１のレイアウトと前記第２のレイアウトとのいずれのレイアウトでも前記ブラケットに対して前記換気扇本体を取り付けることができるように前記換気扇本体の左右側面それぞれに前記ブラケットに対する着脱構造が設けられる、窓枠用換気扇。
【請求項２】
前記ブラケットには、前記換気扇本体を前記制御ユニットとともに回動させて前記窓枠から取り外すための蝶番が備えられる、請求項１に記載の窓枠用換気扇。
【請求項３】
前記ブラケットは前記窓枠に嵌め合わされる断面コ字形状を有し、前記換気扇本体及び前記制御ユニットとともに前記窓枠から取り外される、請求項１に記載の窓枠用換気扇。
【請求項４】
前記換気扇本体の上面には他の換気扇本体を着脱自在に縦積みするための構造が設けられる、請求項１に記載の窓枠用換気扇。
【請求項５】
前記換気扇本体の上面に着脱自在に縦積みされ、前記換気扇本体の上面と前記窓枠との間の間隙を塞ぐためのスペーサボックスをさらに備える、請求項１に記載の窓枠用換気扇。
【請求項６】
換気扇本体と、
前記換気扇本体を制御する制御ユニットとを具備し、
前記制御ユニットの正面には前記換気扇本体の動作を手動操作するための操作ボタンが装備され、
前記換気扇本体は正面側から給気し背面側から排気する構成を有し、
前記換気扇本体は四角柱形状を有し、
前記制御ユニット上に前記換気扇本体を縦積みしたとき全体として単一の柱状形状を構成するように、前記制御ユニットはその底面が前記換気扇本体と同じ寸法で同じ形状の直方体形状又は立方体形状を有し、
前記制御ユニットの正面に対して前記換気扇本体の正面が同じ向きに揃う第１のレイアウトと、前記制御ユニットの正面に対して前記換気扇本体の正面が逆向きになる第２のレイアウトとのいずれのレイアウトでも前記制御ユニット上に前記換気扇本体を縦積み可能なように前記制御ユニットに対して前記換気扇本体を着脱するための構造が前記制御ユニットと前記換気扇本体とに設けられる、換気扇。
【発明の詳細な説明】
【技術分野】
【０００１】
本発明は、窓枠に対して簡単に着脱することができる窓枠用換気扇に関する。
【背景技術】
【０００２】
建物内の換気を促進するための装置として、換気扇が用いられている。換気扇は予め壁部材に開口部を設ける必要があるため、建物設置後に換気効率を向上させることが難しかった。建物設置後に、建物の開口部に嵌込まれた窓枠を利用して、換気扇を取り付けて換気を行う装置として、窓枠用換気扇が知られている（例えば、特許文献１、２参照。）。
【０００３】
窓枠用換気扇の場合には、通常、室内から室外への排気のみの機能であるが、室外の空気を室内に取り込む送風扇として用いる場合もある。このような窓枠用換気扇は、内部にファンや制御基板等が収容され、かなりの重量があるため、窓枠に強固に取り付けられており、一旦設置すると容易には取り外せない構造となっている。このため、排気か吸気を設置時に選択しなければならない。
【０００４】
なお、窓枠には、ガラス戸等がスライド開閉自在に取り付けられているが、窓枠用換気扇は室内と室外との通気路を確保するため、窓枠用換気扇に当接したところでそれ以上は閉められないようになっている。
【０００５】
上記窓枠に取り付けられる窓枠用換気扇にあっては、吸気と排気とを容易に切り替えられず、また、窓枠にネジやナット等を用いて強固に取り付けられており、ガラス戸が全て閉められなくてもガラス戸を外から開けられないようにするため、改めて鍵を設置する必要があった。
【先行技術文献】
【特許文献】
【０００６】
【特許文献１】特開平０５−２８０２６０号公報
【特許文献２】特開平１０−１４１７２６号公報
【発明の概要】
【発明が解決しようとする課題】
【０００７】
目的は、吸排気の自由度が高く、容易にガラス戸を全閉して施錠するができる窓枠用換気扇を提供することにある。
【課題を解決するための手段】
【０００８】
本発明の実施形態に係る窓枠用換気扇は、換気扇本体と、前記換気扇本体を制御する制御ユニットと、前記換気扇本体及び前記制御ユニットを窓枠内側に設置するためのブラケットとを具備する。前記制御ユニットの正面には前記換気扇本体の動作を手動操作するための操作ボタンが装備される。前記換気扇本体は正面側から給気し背面側から排気する構成を有する。前記換気扇本体は四角柱形状を有する。前記制御ユニット上に前記換気扇本体を縦積みしたとき全体として単一の柱状形状を構成するように、前記制御ユニットはその底面が前記換気扇本体と同じ寸法で同じ形状の直方体形状又は立方体形状を有する。前記制御ユニットの正面に対して前記換気扇本体の正面が同じ向きに揃う第１のレイアウトと、前記制御ユニットの正面に対して前記換気扇本体の正面が逆向きになる第２のレイアウトとのいずれのレイアウトでも前記制御ユニット上に前記換気扇本体を縦積み可能なように前記制御ユニットに対して前記換気扇本体を着脱するための構造が前記制御ユニットと前記換気扇本体とに設けられる。前記第１のレイアウトと前記第２のレイアウトとのいずれのレイアウトでも前記ブラケットに対して前記換気扇本体を取り付けることができるように前記換気扇本体の左右側面それぞれに前記ブラケットに対する着脱構造が設けられる。
【図面の簡単な説明】
【０００９】
【図１】本発明の第１の実施形態に係る窓枠用換気扇が取り付けられた窓枠を示す斜視図。
【図２】図１の窓枠用換気扇及び調整ユニットを示す斜視図。
【図３】図１の窓枠用換気扇の正面側を示す斜視図。
【図４】図１の窓枠用換気扇の背面側を示す斜視図。
【図５】図１の窓枠用換気扇の取付ブラケットを示す斜視図。
【図６】図１の窓枠用換気扇への取付ブラケットの取付方法を示す斜視図。
【図７】図６の二点鎖線Ｋを拡大して示す斜視図。
【図８】図１の窓枠用換気扇の収納状態を示す斜視図。
【図９】本発明の第２の実施形態に係る窓枠取付換気扇及び取付ブラケットを示す斜視図。
【図１０】図９の窓枠用換気扇の取付ブラケットを示す斜視図。
【図１１】図９の窓枠用換気扇への取付ブラケットの取付方法を示す斜視図。
【図１２】本発明の第３の実施形態に係る窓枠取付換気扇が取り付けられた窓枠を示す斜視図。
【図１３】図１２の窓枠用換気扇の正面側を示す斜視図。
【図１４】本発明の第４の実施形態に係る窓枠取付換気扇を示す分解斜視図。
【図１５】図１４の窓枠用換気扇の結合部を示す斜視図。
【図１６】本発明の第５の実施形態に係る窓枠用換気扇が取り付けられた窓枠を示す斜視図。
【図１７】本発明の第６の実施形態に係る窓枠用換気扇を示す斜視図。
【図１８】本発明の第７の実施形態に係る窓枠用換気扇を示す斜視図。
【発明を実施するための形態】
【００１０】
以下、図１〜８に基づいて、本発明の第１の実施形態について説明する。  
本実施形態に係る窓枠用換気扇１０は、換気扇本体（換気扇ユニット）２０と、換気扇ユニット２０を制御する制御ユニット７０と、換気扇ユニット２０及び制御ユニット７０を窓枠１１０の内側に設置するためのブラケット４１とを具備する。
【００１１】
制御ユニット７０の正面には換気扇ユニット２０の動作を手動操作するための操作ボタン７６が装備される。換気扇ユニット２０は正面側から給気し、背面側から排気する構成を有しており、換気扇ユニット２０の正面を室内側、背面を室外側に配置することにより、室内空気を室外に排出することができ、それとは逆向きに換気扇ユニット２０の背面を室内側、正面を室外側に配置することにより、室外空気を室内に取り込むことができ、本実施形態ではそれら２種類の使用態様を容易に切り替えることができる構造を備えている。
【００１２】
換気扇ユニット２０は四角柱形状を有しており、制御ユニット７０は換気扇ユニット２０より低い四角柱形状、換言するとその底面が前記換気扇本体と同じ寸法で同じ形状で高さが低い直方体形状又は立方体形状を有している。制御ユニット７０上に換気扇ユニット２０を縦積みしたとき全体として単一の柱状形状が構成される。
【００１３】
制御ユニット７０の操作ボタン７６が装備された正面に対して換気扇ユニット２０の正面（吸気側）が同じ向きで揃う第１のレイアウトと、制御ユニット７０の正面に対して換気扇ユニット２０の正面が逆向きになる、換言すると制御ユニット７０の正面と換気扇ユニット２０の背面（排気側）が同じ向きになる第２のレイアウトとのいずれのレイアウトでも、制御ユニット７０上に換気扇ユニット２０を縦積み可能なように、制御ユニット７０に対して換気扇ユニット２０を着脱するための構造（後述の部材２５ａ、７３ａ）が制御ユニット７０と換気扇２０とに設けられる。
【００１４】
第１のレイアウトと第２のレイアウトとのいずれのレイアウトでもブラケット４１に対して換気扇ユニット２０を取り付けることができるように換気扇ユニット２０の左右側面それぞれにブラケット４１に対する着脱構造（後述の部材２４、２９）が設けられる。
【００１５】
以下具体的に説明する。  
図１に示すように、建物の壁部材１００は窓となる開口部１０１を有している。この開口部１０１には金属材製等の窓枠１１０が嵌め込まれている。窓枠１１０は、鉛直方向に設置された縦部材１１１と水平方向に設置された横部材１１２とが矩形に組み合わされて構成されている。窓枠１１０には一対のガラス戸１２０が左右方向に移動自在となるように嵌め込まれている。一対のガラス戸１２０には全閉した状態で施錠できる窓鍵が取り付けられている。
【００１６】
窓枠用換気扇１０は窓枠１１０の左右両端それぞれに、または一端に装備されることができる。図２に示すように、窓枠用換気扇１０は、換気扇ユニット２０と、この換気扇ユニット２０を縦積みする制御ユニット７０と、後述のブラケット４１から構成される。換気扇ユニット２０は縦長の直方体形状、換言すると四角柱形状を有する。制御ユニット７０は直方体又は立方体形状を有する。制御ユニット７０の横断面は、換気扇ユニット２０の横断面と同じ形状且つ同じ寸法である。制御ユニット７０と換気扇ユニット２０の横断面は、典型的には正方形である。
【００１７】
制御ユニット７０上に換気扇ユニット２０が連結された状態で窓枠１１０の内側に配置される。制御ユニット７０及び換気扇ユニット２０との合計高が窓枠１１０の内寸よりも短いとき、それらの間に間隙が生じる。その場合、間隙を塞ぐために、換気扇ユニット２０の上部に、１又は複数の適当な数のスペーサボックス８０を連結することができる。スペーサボックス８０の横断面は、制御ユニット７０及び換気扇ユニット２０の横断面と同じ形状であり、同じ寸法である。好ましくは様々な高さのスペーサボックス８０が用意されており、適当に組み合わされる。
【００１８】
換気扇ユニット２０の筐体としては、左右の側板２１、正面側の吸気グリル板２２、背面側の排気グリル板２３、天板、底板とからなる。換気扇ユニット２０の筐体内部にはファンユニット３０が収容される。吸気グリル板２２及び排気グリル板２３は、空気の通流が容易になる程度の孔及びスリットが多数形成されている。両側板２１それぞれには、奥行き方向に沿って浅い溝部（着脱部材（雌））２４が設けられている。溝部２４の幅はその底面側から開口側に向かって狭く、テーパ状に構成される。溝部２４には、後述する取付ブラケット４０のスライド板４４の線条突起（着脱部材（雄））２９が差し込まれる。スライド板４４の線条突起２９は、溝部２４に整合するように逆テーパの横断面形状を有する。それにより、溝部２４を取付ブラケット４０のスライド板４４の線条突起に挿入したとき、換気扇ユニット２０は制御ユニット７０及びスペーサボックス８０とともに取付ブラケット４０に装着される。溝部２４を取付ブラケット４０のスライド板４４の線条突起から抜いたとき、換気扇ユニット２０は制御ユニット７０及びスペーサボックス８０とともに取付ブラケット４０から取り外すことができる。
【００１９】
換気扇ユニット２０の底面２５には、溝部（以下、凹型スライド部という）２５ａが形成され、上面２６には、線条突起（以下、凸型スライド部という）２６ａが形成されている。凹型スライド部２５ａは、吸気グリル板２２側（正面側）から排気グリル板２３側にわたって同じ幅・同じ深さに形成されており、他部材の凸型スライド部（例えば、後述する凸型スライド部７３ａ）に対して前後方向について往復動自在、上下方向への移動について規制されている。凸型スライド部２６ａは、吸気グリル板２２側（正面側）から排気グリル板２３側（背面側）にわたって同じ幅・同じ深さに形成されており、他部材の凹型スライド部（例えば、後述する凹型スライド部８２ａ）に対して前後方向について往復動自在、上下方向への移動について規制されている。
【００２０】
取付ブラケット４０は、縦部材１１１に固定される固定板金（固定部材）４１と、回動板金（回動部材）４２を具備している。固定板金４１と回動板金４２とは、鉛直方向の回動軸４３によって回動自在に取り付けられている。回動板金４２には、スライド板４４が取り付けられている。
【００２１】
スライド板４４は上述した溝部２４に対して、吸気グリル板２２又は排気グリル板２３側から挿入されており、上下方向への移動のみ規制され、固定されていない。
【００２２】
制御ユニット７０の筐体は直方体又は立方体形状を有し、内部にファンユニット３０を制御する制御基板を収容している。その正面には操作ボタン７６が装備されている。制御ユニット７０は、左右の側板７１を有している。制御ユニット７０の底面７２には、凹型スライド部７２ａが形成され、上面７３には、凸型スライド部７３ａが形成されている。凹型スライド部７２ａは、前面側から背面側にわたって同じ幅・同じ深さに形成されており、他部材の凸型スライド部に対して前後方向について往復動自在、上下方向への移動について規制した状態で係止可能に形成されている。凸型スライド部７３ａは、前面側から背面側にわたって同じ幅・同じ深さに形成されており、他部材の凹型スライド部に対して前後方向について往復動自在、上下方向への移動について規制した状態で係止可能に形成されている。
【００２３】
制御ユニット７０は、正面側に操作ボタン７６を備えている。操作ボタン７６が室内側、背面部７５が室外側になるように配置される。
【００２４】
スペーサボックス８０は、直方体状の筐体から構成されており、空洞で内部には何も収容されていない。全体を軽量の樹脂材等で形成してもよい。図３に示す２つのスペーサボックス８０は同じ構成である。
【００２５】
スペーサボックス８０は、左右の側板８１を有している。スペーサボックス８０の底面８２には、凹型スライド部８２ａが形成され、上面８３には、凸型スライド部８３ａが形成されている。凹型スライド部８２ａは、前面側から背面側にわたって同じ幅・同じ深さに形成されており、他部材の凸型スライド部に対して前後方向について往復動自在、上下方向への移動について規制した状態で係止可能に形成されている。凸型スライド部８３ａは、前面側から背面側にわたって同じ幅・同じ深さに形成されており、他部材の凹型スライド部に対して前後方向について往復動自在、上下方向への移動について規制した状態で係止可能に形成されている。
【００２６】
このように構成された窓枠用換気扇１０は、次のようにして使用する。最初に窓枠１１０に窓枠用換気扇１０取り付ける方法を説明する。すなわち、制御ユニット７０上に換気扇ユニット２０を縦積みする。換気扇ユニット２０の凹型スライド部２５ａに、制御ユニット７０の凸型スライド部７３ａが係止されるようにスライドして固定する。
【００２７】
同様にして、換気扇ユニット２０の上面２６にスペーサボックス８０を積む。換気扇ユニット２０の凸型スライド部２６ａに、スペーサボックス８０の凹型スライド部８２ａが係止されるようにスライドして装着する。スペーサボックス８０は、換気扇ユニット２０及び制御ユニット７０の高さ寸法と、窓枠１１０の縦部材１１１の高さ寸法との差を埋めるだけの数だけ装着する。
【００２８】
次に、窓枠１１０の縦部材１１１に固定された固定板金４１に対し、図５に示すように回動板金４２が直角の位置となるように回動させる。次に、図６、図７に示すように、スライド板４４の線条突起２９を溝部２４に差し込み係止させる。これにより、図１に示すように、窓枠用換気扇１０が窓枠１１０に取り付けられる。なお、吸気グリル板２２と吸気グリル２３面とは逆に配置してもよく、使用者の必要に応じて設定する。なお、吸気グリル板２２を室内側、吸気グリル２３面を室外側に向ければ、室外の空気を室内に取り込むことができ、吸気グリル板２２を室外側、吸気グリル２３面を室内側に向ければ、室内の空気を室外へ排気することができる。
【００２９】
図１に示すように、左右の窓枠用換気扇１０において、吸気グリル板２２及び吸気グリル２３面の配置を逆にすることで、吸気と排気を同時に行うことができ、室内の換気を効率よく行うことができる。
【００３０】
次に、非使用時における窓枠用換気扇１０の収容方法について説明する。ガラス戸１２０を少し開け、取付ブラケット４０を換気扇ユニット２０に装着した状態で、回動軸４３周りに回転させる。すなわち、図８に示すように窓枠用換気扇１０全体が矢印Ｒ方向に回動し、室内側に移動することができる。これにより、窓枠用換気扇１０を窓枠１１０から取り外して、ガラス戸１２０を全閉し、既存の鍵で施錠することができる。
【００３１】
このように本実施形態に係る窓枠用換気扇によれば、換気扇ユニット２０の向きを変えるだけで、吸気と排気を切り替えることができる。図１に示すように、吸気用と排気用にそれぞれ窓枠用換気扇を設置すれば、室内の換気効率は向上する。この時、吸気用と排気用の位置を変更すれば、空気の流れを制御することもできる。
【００３２】
また、窓枠１１０の高さ方向の寸法に応じて、スペーサボックス８０を設置すれば、窓枠１１０と換気扇ユニット２０の高さ方向の寸法が異なっていても、換気扇ユニット２０及び制御ユニット７０が設置されていない開口部を塞ぐことができる。また、換気扇ユニット２０と制御ユニット７０が別ユニットになっており、前後方向を変更して組み立てることができるため、常に操作ボタン７６を室内側に向けることができ、取扱いが容易となる。
【００３３】
さらに、非使用時には、室内側に収納することで、ガラス戸等を本来の位置まで閉じるようにできる、改めて鍵等を設置する必要が不要となる。
【００３４】
次に、図９〜１１に基づいて、本発明の第２の実施形態について説明する。なお、これらの図において、図１〜８と同一機能部分には同一符号を付し、その説明は省略する。
【００３５】
図９においては、上述した取付ブラケット４０の代わりに、取付ブラケット５０を用いている。図１０に示すように、取付ブラケット５０は、窓枠１１０の縦部材１１１に嵌め合わされる断面コ字形の嵌合部材５１と、この嵌合部材５１に一体的に取り付けられた板状の被係止部５２とを具備している。被係止部５２には上述したスライド板４４と同様に換気扇ユニット２０の溝部２４に差し込まれる線条突起２９が設けられている。
【００３６】
このような取付ブラケット５０にあっては、嵌合部材５１を縦部材１１１に嵌め込み、被係止部５２の線条突起を換気扇ユニット２０の溝部２４に差し込む。このような取付ブラケット５０によれば、上述した窓枠用換気扇１０と同様の効果が得られると共に、取付ブラケット４０のように縦部材１１１や壁部材１００等にねじ止めする必要が無いことから、貸住居等に設置しやすくなる。
【００３７】
次に、図１２、１３に基づいて、本発明の第３の実施形態について説明する。なお、これらの図において、図１〜１１と同一機能部分には同一符号を付し、その説明は省略する。
【００３８】
図１２に示すように、窓枠用換気扇１０Ａは、上下方向に換気扇ユニット２０を２台有している。換気扇ユニット２０同士は、下側の換気扇ユニット２０の凸型スライド部２６ａを、上側の換気扇ユニット２０の凹型スライド部２５ａにスライド結合することで、２台の換気扇ユニット２０が一体化する。上述した窓枠用換気扇１０と同様の効果が得られると共に、上側の換気扇ユニット２０を吸気、下側の換気扇ユニット２０を排気となるように設置すれば、窓枠用換気扇１０Ａを一ヵ所に設置するだけで、吸気と排気を実行できる。
【００３９】
次に、図１４、１５に基づいて、本発明の第４の実施形態について説明する。なお、これらの図において、図１〜１３と同一機能部分には同一符号を付し、その説明は省略する。
【００４０】
前述した換気扇ユニット２０、制御ユニット７０、スペーサボックス８０については、スライド結合によって一体化していたが、図１４、１５に示すように、回転結合するようにしてもよい。具体的には、図１５に示すように、換気扇ユニット２０同士の連結を、上側の換気扇ユニット２０の底面２７に設けられた突起部２７ａを、下側の換気扇ユニット２０の上面２８に設けられた凹溝２８ａに挿入し、鉛直方向の軸回りに回動することで、一体化する。なお、上述したように各ユニット間の結合方法は独立しているため、スライド結合と回転結合を組み合わせても良い。上述した窓枠用換気扇１０と同様の効果が得られる。
【００４１】
次に、図１６に基づいて、本発明の第５の実施形態について説明する。なお、これらの図において、図１〜１５と同一機能部分には同一符号を付し、その説明は省略する。
【００４２】
図１６に示すように、２台の換気扇ユニット２０を用いる場合、スペーサボックス８０を２台の換気扇ユニット２０の間に組み込んでも良い。使用者の使用方法や換気状態によっては、２台の換気扇ユニット２０同士を離間する方が良い場合もある。このように、互いの結合方式をスライド結合又は回転結合を統一して構成しておけば、換気扇ユニット２０、制御ユニット７０、スペーサボックス８０の設置順序を任意に変更することができる。上述した窓枠用換気扇１０と同様の効果が得られる。
【００４３】
次に、図１７に基づいて、本発明の第６の実施形態について説明する。なお、これらの図において、図１〜１６と同一機能部分には同一符号を付し、その説明は省略する。
【００４４】
窓枠用換気扇１０Ｂは、複数第、例えば３台の換気扇ユニット２０を着脱自在に縦積みするための構造が設けられる。換気扇ユニット２０同士は、前述したスライド結合又は回転結合により連結される。上述した窓枠用換気扇１０と同様の効果が得られると共に、窓枠用換気扇１０Ｂを一ヵ所に設置するだけで、吸気と排気を実行できる。
【００４５】
次に、図１８に基づいて、本発明の第７の実施形態について説明する。なお、これらの図において、図１〜１７と同一機能部分には同一符号を付し、その説明は省略する。
【００４６】
窓枠用換気扇１０Ｃは、上下方向に換気扇ユニット２０を多数台有している。換気扇ユニット２０同士は、前述したスライド結合又は回転結合により結合している。上述した窓枠用換気扇１０と同様の効果が得られると共に、換気扇ユニット２０が小型になり、また、必要に応じて吸気と排気とを交互に設置することで、吸気・排気を分散することができ、より柔らかな空気の流れを作ることができ、自然な換気を実現できる。
【００４７】
上述したファンは、水平方向に回転軸を有するプロペラファンであるが、鉛直方向に回転軸を有するシャフトクロスファン又は他種のファンを用いてもよい。また、取付ブラケットを窓枠１１０に取り付けるようにしたが、壁部材１００に取り付けるようにしても良い。さらに、取付ブラケットと換気扇ユニットの結合については、ベアリングやロック機構を付加してもよい。この他、左右開きのガラス戸について説明したが、上下開きのガラス戸についても、窓枠に取り付ける位置を窓枠の横部材又は横部材近傍の壁部材とすれば同様に使用することができる。
【００４８】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４９】
１０、１０Ａ、１０Ｂ、１０Ｃ…窓枠用換気扇、２０…換気扇ユニット、２１…側板、２２…吸気グリル板、２３…吸気グリル板、２４…溝部、２５…底面、２５ａ…凹型スライド部、２６…上面、２６ａ…凸型スライド部、２７…底面、２７ａ…突起部、２８…上面、２８ａ…凹溝、２９…線条突起、３０…ファンユニット、４０…取付ブラケット、４１…固定板金（固定部材）、４２…回動板金（回動部材）、４３…回動軸、４４…スライド板、５０…取付ブラケット、５１…嵌合部材、５２…被係止部、７０…制御ユニット、７１…側板、７２…底面、７２ａ…凹型スライド部、７３…上面、７３ａ…凸型スライド部、７５…背面部、７６…操作ボタン、８０…スペーサボックス、８１…側板、８２…底面、８２ａ…凹型スライド部、８３…上面、８３ａ…凸型スライド部、１００…壁部材、１０１…開口部、１１０…窓枠、１１１…縦部材、１１２…横部材、１２０…ガラス戸。
【要約】
【課題】吸排気の自由度が高く、容易にガラス戸を全閉して施錠するができる窓枠用換気扇を提供すること。
【解決手段】窓枠用換気扇１０は、換気扇ユニット２０、制御ユニット７０、ブラケット４１とを具備する。制御ユニット上に換気扇本体を縦積みしたとき全体として単一の柱状形状が構成される。制御ユニットの正面に対して換気扇ユニットの正面が同じ向きに揃う第１のレイアウトと、換気扇ユニットの正面に対して換気扇ユニットの正面が逆向きになる第２のレイアウトとのいずれのレイアウトでも制御ユニット上に換気扇ユニットを縦積み可能な着脱構造２５ａ、７３ａが制御ユニットと換気扇ユニットとにそれぞれ設けられる。第１、第２のレイアウトのいずれでもブラケットに換気扇ユニットを取り付けることができるように換気扇ユニットの左右側面それぞれにブラケットに対する着脱構造２４、２９が設けられる。
【選択図】    図１【図１】
0006898682.tif 000002
【図２】
0006898682.tif 000003
【図３】
0006898682.tif 000004
【図４】
0006898682.tif 000005
【図５】
0006898682.tif 000006
【図６】
0006898682.tif 000007
【図７】
0006898682.tif 000008
【図８】
0006898682.tif 000009
【図９】
0006898682.tif 000010
【図１０】
0006898682.tif 000011
【図１１】
0006898682.tif 000012
【図１２】
0006898682.tif 000013
【図１３】
0006898682.tif 000014
【図１４】
0006898682.tif 000015
【図１５】
0006898682.tif 000016
【図１６】
0006898682.tif 000017
【図１７】
0006898682.tif 000018
【図１８】
0006898682.tif 000019